(57)【要約】【課題】屋根材と壁材との取り合い部にパッキン材やコーキング材を施す作業を省き、施工し難い作業を簡易化することで作業手間を軽減することができる面戸および屋根構造を提供することを目的としている。【解決手段】屋根材と壁材との取り合い部に配置され、屋根材と壁材との隙間を塞ぐ母材部２２と、屋根材に対向する屋根接面部２３と、壁材に対向する壁接面部２４とから形成されている面戸２１において、屋根接面部２３と壁接面部２４とのうち少なくとも一方は、母材部２２に接合されている基板２６、２９と屋根材或いは壁材に接する接面板２７、３０とが積層されて形成され、接面板２７、３０は基板２６、２９より柔らかい弾性材によって形成されている。【選択図】      図３
2005016012.tif 000002
【特許請求の範囲】
【請求項１】
屋根材と壁材との取り合い部に配置され、前記屋根材と前記壁材との隙間を塞ぐ母材部と、前記屋根材に対向する屋根接面部と、前記壁材に対向する壁接面部とから形成されている面戸において、
前記屋根接面部と前記壁接面部とのうち少なくとも一方は、前記母材部に接合されている基板と前記屋根材或いは前記壁材に接する接面板とが積層されて形成され、該接面板は前記基板より柔らかい弾性材によって形成されていることを特徴とする面戸。
【請求項２】
請求項１記載の面戸において、
前記母材部、前記基板および前記接面板は、それぞれエラストマー樹脂製、またはエラストマー樹脂製と硬質樹脂製との組み合わせとされ、前記母材部、前記基板、および前記接面板はそれぞれ一体成形されていることを特徴とする面戸。
【請求項３】
請求項１または２記載の面戸において、
前記母材部と前記屋根接面部との間、または前記母材部と前記壁接面部との間のうち少なくとも一方には、前記弾性材からなる伸縮部が介在されていることを特徴とする面戸。
【請求項４】
請求項１から３のいずれか記載の面戸において、
前記屋根材には角形に折り曲げられた折板が使用され、前記母材部は台形に形成され、前記母材部の上辺および両斜辺には前記屋根接面部が設けられ、前記母材部の底辺には前記壁接面部が設けられていることを特徴とする面戸。
【請求項５】
壁材の内方に形成された気密状態の天井チャンバー上方に配置されている屋根材が備えられている屋根構造であって、
請求項１から４のいずれかに記載の面戸が前記屋根材と前記壁材との取り合い部に備えられていることを特徴とする屋根構造。
【発明の詳細な説明】
【０００１】
【発明の属する技術分野】
本発明は、屋根材と壁材との取り合い部を塞ぐ面戸、および該面戸が取り付けられている屋根構造に関する。
【０００２】
【従来の技術】
一般に、半導体工場等のクリーンルームの空調方式として、ファンフィルターユニットを天井に設けるとともに天井裏に天井チャンバーを形成する方式が採られる。天井チャンバーを形成するとき、建築的な内装仕上げによって天井チャンバーの天井を形成する方法が一般的であるが、近年では工期短縮、コストダウン、省スペースの観点から天井チャンバーの天井と屋根材とを兼用する方法が提案されている（例えば、特許文献１参照。）。
【０００３】
天井チャンバーの天井と屋根材とを兼用する方法を採用する場合、クリーンルームのように天井チャンバー内の気密性を確保する必要がある。このため、屋根材の継ぎ目にはパッキン材とコーキング材を介在させるなどして気密化し、また壁材と屋根材との取り合い部には面戸を取り付け、面戸と壁材、および面戸と屋根材との接合部はパッキン材やコーキング材により気密化している（例えば、特許文献２参照。）。
【０００４】
【特許文献１】
特開２０００−２５４４８６号公報  （第２−４頁、第１図）
【特許文献２】
特開２００１−２４８２７５号公報  （第３−７頁、第９図）
【０００５】
【発明が解決しようとする課題】
しかしながら、上記した従来の面戸では、作業し難い屋根材と壁材との取り合い部に、パッキン材やコーキング材を施す必要があるという問題が存在する。パッキン材やコーキング材を施す作業は相当の手間がかかる。また、従来の面戸は、鋼板の切り込み、折り曲げで作られているため、屋根材や壁材に点で接しているだけの箇所があり、完全な気密化を確保することが困難であるという問題が存在する。
【０００６】
本発明は、上記した従来の問題が考慮されたものであり、屋根材と壁材との取り合い部にパッキン材やコーキング材を施す作業を省き、施工し難い作業を簡易化することで作業手間を軽減することができる面戸および屋根構造を提供することを目的としている。また、屋根材と壁材との取り合い部の気密性能を向上させることができる面戸および屋根構造を提供することを目的としている。
【０００７】
【課題を解決するための手段】
請求項１記載の発明は、屋根材と壁材との取り合い部に配置され、前記屋根材と前記壁材との隙間を塞ぐ母材部と、前記屋根材に対向する屋根接面部と、前記壁材に対向する壁接面部とから形成されている面戸において、前記屋根接面部と前記壁接面部とのうち少なくとも一方は、前記母材部に接合されている基板と前記屋根材或いは前記壁材に接する接面板とが積層されて形成され、該接面板は前記基板より柔らかい弾性材によって形成されていることを特徴としている。
【０００８】
このような特徴により、弾性材からなる接面板がパッキンの機能を果たし、屋根接面部および壁接面部は隙間なく屋根材或いは壁材にそれぞれ接合される。また、屋根接面部および壁接面部は屋根材或いは壁材にそれぞれ面接合されている。
【０００９】
請求項２記載の発明は、請求項１記載の面戸において、前記母材部、前記基板および前記接面板は、それぞれエラストマー樹脂製、またはエラストマー樹脂製と硬質樹脂製との組み合わせとされ、前記母材部、前記基板、および前記接面板はそれぞれ一体成形されていることを特徴としている。
【００１０】
このような特徴により、母材部と屋根接面部、および母材部と壁接面部とは一体に接合され、それぞれの接合部にコーキング等をする必要はない。また、エラストマー樹脂製の接面板は、外力が与えられると容易に変化して外力が除かれるとほぼ原形に回復する弾性作用が顕著に生じる。
【００１１】
請求項３記載の発明は、請求項１または２記載の面戸において、前記母材部と前記屋根接面部との間、または前記母材部と前記壁接面部との間のうち少なくとも一方には、前記弾性材からなる伸縮部が介在されていることを特徴としている。
【００１２】
このような特徴により、気象変動による屋根材の変形、或いは施工時に誤差が生じた場合に、伸縮部が伸縮して母材部は追従する。
【００１３】
請求項４記載の発明は、請求項１から３のいずれか記載の面戸において、前記屋根材には角形に折り曲げられた折板が使用され、前記母材部は台形に形成され、前記母材部の上辺および両斜辺には前記屋根接面部が設けられ、前記母材部の底辺には前記壁接面部が設けられていることを特徴としている。
【００１４】
このような特徴により、折板を使用した場合、屋根材と壁材との隙間は台形のものが複数形成されるが、面戸を台形の隙間に合わせた形状とすることで容易に取り付けられる。
【００１５】
請求項５記載の発明は、壁材の内方に形成された気密状態の天井チャンバー上方に配置されている屋根材が備えられている屋根構造であって、請求項１から４のいずれかに記載の面戸が前記屋根材と前記壁材との取り合い部に備えられていることを特徴としている。
【００１６】
このような特徴により、屋根材は天井チャンバーの天井を形成し、気密性が確保される面戸により屋根材と壁材との取り合い部を塞ぐため、天井チャンバー内に外気が混入することはない。
【００１７】
【発明の実施の形態】
以下、本発明に係る面戸および屋根構造の実施の形態について、図面に基づいて説明する。
【００１８】
図１に示すように、構造物１は、外壁材２と内壁材３とからなる二重壁４と、折板からなる複数の屋根材５を葺いて形成された屋根６と、図示せぬ柱と、図示せぬ柱に架設された鉄骨梁７と、鉄骨梁７の間に形成された図示せぬスラブ、または根太を敷いて組んだフリーアクセスフロアとから構成されている。構造物１内には半導体工場などの気密状態のクリーンルーム８が形成されている。クリーンルーム８の天井材９の面には、クリーンルーム８の天井裏に形成された天井チャンバー１０内の空気を吸引してクリーンルーム８内に排出する空調用のファンフィルターユニット１１が配設されている。天井チャンバー１０は内壁材３、屋根材５および天井材９により形成されており、天井チャンバー１０内はクリーンルーム８と同様に気密状態が確保されている。
【００１９】
図２は内壁材３と屋根材５との取り合い部を表す斜視図である。折板を二重に敷設するダブル折板の場合、図２に示すように、屋根材５は、角形に折り曲げ加工されたガルバリウム鋼板（ハゼ継ぎされる折板）からなる長方形の上弦材１２および下弦材１３と、上弦材１２と下弦材１３との間に介在されたグラスウールからなる断熱材１４とから構成されている。下弦材１３の長辺側の縁には、内側に折り返されたハゼ部１３ａが形成されている。
【００２０】
鉄骨梁７の上フランジの上面には、鉄骨梁７の軸方向に延在するＣ形チャンネルや鋼管からなる基台１５が溶接されている。基台１５の上面には角形に折り曲げ加工されたタイトフレーム１６が溶接されている。タイトフレーム１６の頂部には緊定金具１７がボルト固定されており、ハゼ状の緊定金具１７の上部は下弦材１３のハゼ部１３ａに掛止されている。鉄骨梁７の軸方向に直交する方向に延在する下弦材１３は複数敷並べられており、隣り合う下弦材１３はハゼ部１３ａがそれぞれ重なり合わされて接合されている。重なり合ったハゼ部１３ａの間には、帯状のシール材３３と重なり合ったハゼ部１３ａの隙間に設けられたコーキング３４とがそれぞれ介在されている。また、緊定金具１７が掛止されているハゼ部１３ａには、その上下に２本の帯状のシール材３３が設けられる。
【００２１】
下弦材１３上には複数の断熱金具１８が配設されており、断熱金具１８の上部には緊定金具１９がボルト固定されている。緊定金具１９の上部は上弦材１２の縁部１２ａに掛止され、上弦材１２と下弦材１３とは断熱材１４を介して重なり合わされている。鉄骨梁７の軸方向に直交する方向に延在する複数の上弦材１２は、ハゼ部１２ａがそれぞれ重なり合わされて接合されている。屋根材５と内壁材３との取り合い部には、下弦材１３の下面と内壁材３の上端との隙間を閉鎖する面戸２１が取り付けられている。
【００２２】
図３は、面戸２１を表す斜視図である。図２、図３に示すように、面戸２１は、屋根材５と内壁材３との隙間を塞ぐ台形の母材部２２と、屋根材５の下面に対向する屋根接面部２３と、内壁材５の内面に対向する壁接面部２４とから形成されている。母材部２２は硬度９０以上の硬いエラストマー樹脂、またはエラストマー樹脂と硬質樹脂との組み合わせによって形成されており、母材部２２の底辺部には水平方向に延在する伸縮部２５が形成されている。伸縮部２５は、伸び率が２００％から５００％の範囲の柔らかいエラストマー樹脂からなる弾性材によって形成されており、伸縮部２５は硬いエラストマー樹脂、またはエラストマー樹脂と硬質樹脂との組み合わせによって形成される母材部２２に一体成形されている。
【００２３】
屋根接面部２３は、硬いエラストマー樹脂によって形成されている基板２６と柔らかいエラストマー樹脂からなる弾性材によって形成されている接面板２７とが積層されて一体成形されている。基板２６は母材部２２の上辺部および両斜辺部にそれぞれ直角に一体成形されているとともに、基板２６は接合板２７にそれぞれ一体成形されている。接面板２７は屋根材５の下面に圧接されており、屋根材５と屋根接面部２３との間の気密効果は確保されている。上辺部に接合された屋根接面部２３の中央には貫通穴３１ａが形成されており、貫通穴３１ａには屋根材５に固定されるボルト２８が下方向から挿通されている。
【００２４】
壁接面部２４は、硬いエラストマー樹脂によって形成されている基板２９と柔らかいエラストマー樹脂からなる弾性材によって形成されている接面板３０とが積層されて一体成形されている。基板２９は母材部２２の下方に母材部２２と面一に配置されており、母材部２２の底辺部に伸縮部２５を介して一体成形されている。接面板３０は内壁材３の内面に圧接されており、内壁材３と壁接面部２４との間の気密効果は確保されている。壁接面部２４の両端部には貫通穴３１ｂがそれぞれ形成されており、貫通穴３１ｂには内壁材３に固定されるボルト３２がそれぞれ挿通されている。
【００２５】
次に、上記した構成からなる面戸および屋根構造の施工方法について説明する。
【００２６】
図２、図３に示すように、まず、内壁材３および鉄骨梁７の上方に屋根材５を葺いて屋根６を形成する。鉄骨梁７の上フランジの上面に、Ｃ形チャンネルなどからなる基台１５を鉄骨梁７の軸方向に延在させて溶接する。そして、基台１５の上面に間隔をあけて複数のタイトフレーム１６をそれぞれ溶接する。次に、鉄骨梁７の軸方向に直交する方向に延在する複数の下弦材１３をタイトフレーム１６の間にそれぞれ配置するとともに、タイトフレーム１６の頂部に緊定金具１７をボルト固定する。このとき、下弦材１３のハゼ部１３ａの上面に帯状のシール材３３を付着させ、緊定金具１７の上部を下弦材１３のハゼ部１３ａに掛止させる。そして、下弦材１３のハゼ部１３ａと隣り合う下弦材１３のハゼ部１３ａとの間にコーキング３４を打って重ね合わせ、更にかしめて接合する。
【００２７】
次に、下弦材１３の上面に断熱材１４を敷設するとともに複数の断熱金具１８をそれぞれ所定の位置に配設する。断熱材１４は厚さ５０ｍｍの既製断熱マットを二層にして敷設する。断熱金具１８は重なり合った下弦材１３のハゼ部１３ａに配置し、断熱金具１８の下部をハゼ部１３ａに上から嵌め込む。次に、鉄骨梁７の軸方向に直交する方向に延在する複数の上弦材１２を断熱材１４の上面に配置するとともに、断熱金具１８の上面に緊定金具１９をボルト固定する。このとき、緊定金具１９の上部を上弦材１２のハゼ部１２ａに掛止させ、また、隣り合う上弦材１２のハゼ部１２ａを重ね合わせて接合する。
【００２８】
次に、内壁材３と屋根材５との取り合い部に面戸２１を配置して取り付ける。面戸２１の屋根接面部２３を内壁材３の内側から下弦材１３の下面に押し当てるとともに、面戸２１の壁接面部２４を内壁材３の内側から内壁材３の内面に押し当て、屋根接面部２３と下弦材１３とを圧着させるとともに、壁接面部２４と内壁材３とを圧着させる。そして、屋根接面部２３と下弦材１３とをボルト２８で固定するとともに、壁接面部２４と内壁材３とをボルト３２で固定する。
【００２９】
上記した構成からなる面戸によれば、屋根接面部２３および壁接面部２４は、母材部２２に接合されている基板２６、２９と屋根材５に接する接面板２７、３０とが積層されて形成され、接面板２７、３０は基板２６、２９より柔らかい弾性材によって形成されているため、弾性材からなる接面板２７、３０がパッキンの機能を果たし、屋根接面部２３および壁接面部２４は隙間なく屋根材５或いは内壁材３にそれぞれ接合される。これによって、屋根材５と内壁材３との取り合い部にパッキン材やコーキング材を施す作業は省かれ、高所での施工し難い作業を簡易化することで作業手間を軽減することができる。また、屋根接面部２３および壁接面部２４は屋根材５或いは内壁材３にそれぞれ面接合されているため、屋根材５と内壁材３との取り合い部の気密性能を向上させることができる。
【００３０】
また、母材部２２、基板２６、２９および接面板２７、３０はそれぞれエラストマー樹脂製とされ、母材部２２と基板２６、２９はそれぞれ一体成形され、また、基板２６、２９と接面板２７、３０はそれぞれ一体成形されているため、それぞれの接合部にコーキング等をする必要はない。また、エラストマー樹脂製の接面板２７、３０は、外力が与えられると容易に変化して外力が除かれるとほぼ原形に回復する弾性作用が顕著に生じるため、屋根材５と接面板２７、または内壁材３と接面板３０の接合部はそれぞれ隙間が生じることなく圧着することができる。
【００３１】
また、弾性材からなる伸縮部２５が形成されているため、気象変動による屋根材５の変形、或いは施工時に誤差が生じた場合に、伸縮部２５が伸縮して母材部２２は追従する。これによって、内壁材３と屋根材５との取り合い部に形成される隙間の形状が変形しても、屋根材５と接面板２７との接合部や内壁材３と接面板３０との接合部にそれぞれ隙間が生じることはなく、また隙間の形状が所定よりも小さい場合にも対応することができる。
【００３２】
また、屋根材５には折板が使用され、屋根材５と内壁材３との取り合い部には台形の隙間が形成され、面戸２１の母材部２２は隙間の形状に合った台形になっている。このため、複数の隙間に面戸２１を隙間なくそれぞれ容易に取り付けることができ、多数の隙間がある場合にも対応することができる。
【００３３】
また、上記した面戸２１が取り付けられている屋根構造によれば、面戸２１により屋根材５と内壁材３との取り合い部を塞ぐため、屋根材５によって天井が形成された天井チャンバー１０内に外気が混入することはない。これによって、天井チャンバー１０内を気密状態にすることができる。
【００３４】
以上、本発明に係る面戸および屋根構造の実施の形態について説明したが、本発明は上記した実施の形態に限定されるものではなく、その趣旨を逸脱しない範囲で適宜変更可能である。例えば、上記した実施の形態では、屋根接面部２３の中央に貫通穴３１ａが形成され、該貫通穴３１ａに屋根材５に固定されるボルト２８を下方から挿入して面戸２１を屋根材５に気密に接合しているが、本発明は、図４に示すように、面戸１００の壁接面部１０１の両側部をそれぞれ張り出して、隣り合う面戸１００の壁接面部１０１同士を突き合わせて接合させてもよい。この場合、屋根接面部１０２は、壁接面部１０１の上辺と母材部１０３の上辺および両側辺とに沿って設けられている。また、壁接面部１０１は複数のボルト１０４によって内壁材にボルト接合されており、屋根接面部１０２を屋根材にボルト固定せずに、面戸１００は所定の位置に設置される。
【００３５】
また、上記した実施の形態では、内壁材３と屋根材５との取り合い部に面戸２１を取り付けているが、本発明は、外壁材２と屋根材５との取り合い部に面戸２１を取り付けてのよい。これによって、外壁材２と屋根材５とによって形成された天井チャンバー内を気密状態にすることができ、また、二重壁４でない壁の場合も壁内を気密状態にすることができる。
【００３６】
また、上記した実施の形態では、面戸２１はボルト２８、３２によって屋根材５或いは内壁材３に取り付けているが、本発明は、屋根材５と屋根接面部２３との間に接着剤を介在させるとともに、内壁材３と壁接面部接合２４との間に接着剤を介在させてもよく、また、屋根材５と屋根接面部２３との間、或いは内壁材３と壁接面部接合２４との間のうちいずれか一方をボルト接合とし、他方を接着剤接合としてもよい。また、屋根材５に屋根接面部２３を押圧させた状態で内壁材３と壁接面部接合２４とをボルト接合としてもよい。
【００３７】
さらに、上記した実施の形態では、伸縮部２５は母材部２２の底辺部に水平に形成されているが、本発明は、伸縮部２５を母材部２２の中央部に形成してもよく、また、複数本の伸縮部２５を形成させてもよい。また、伸縮部２５は水平方向に延在するものに限らず、鉛直方向や斜め方向に延在するものでもよく、例えば、母材部２２の上辺部、両斜辺部および底辺部にそれぞれ形成させてもよい。
【００３８】
【発明の効果】
以上、説明した本発明に係る面戸および屋根構造によれば、屋根接面部または壁接面部のうち少なくともいずれか一方は、母材部に接合されている基板と屋根材に接する接面板とが積層されて形成され、接面板は基板より柔らかい弾性材によって形成されているため、弾性材からなる接面板がパッキンの機能を果たし、屋根接面部および壁接面部は屋根材或いは壁材に隙間なく圧着され、屋根材と壁材との取り合い部にパッキン材やコーキング材を施す必要なく面戸は取り付けられ、高所での施工し難い作業を簡易化することで作業手間を軽減することができる。また、屋根接面部は屋根材に面接合されているとともに、壁接面部は内壁材にそれぞれ面接合されているため、屋根材と内壁材との取り合い部の気密性能を向上させることができる。
【図面の簡単な説明】
【図１】本発明に係る面戸および屋根構造の実施の形態を説明する全体断面図である。
【図２】本発明に係る面戸および屋根構造の実施の形態を説明する部分斜視図である。
【図３】本発明に係る面戸および屋根構造の実施の形態を説明する面戸の斜視図である。
【図４】本発明に係る面戸および屋根構造のその他の実施の形態を説明する面戸の斜視図である。
【符号の説明】
３  内壁材（壁材）
５  屋根材
１０  天井チャンバー
２１  面戸
２２  母材部
２３  屋根接面部
２４  壁接面部
２５  伸縮部
２６、２９  基板
２７、３０  接面板
【図１】
2005016012.tif 000003
【図２】
2005016012.tif 000004
【図３】
2005016012.tif 000005
【図４】
2005016012.tif 000006